(57)【特許請求の範囲】
【請求項１】
所定幅の搬送パルスを持つ搬送波でデータ信号を振幅変調したＡＳＫ変調信号を、受信して、その受信したＡＳＫ変調信号からデータ信号を取り出すようにしたＡＳＫ変調信号の復調装置において、
受信したＡＳＫ変調信号を波形整形した後、搬送パルス幅よりもやや長い時定数をもった単安定マルチバイブレータ（３）に入力し、単安定マルチバイブレータ（３）の出力信号と、前記ＡＳＫ変調信号を波形整形した信号とから、ＡＳＫ変調信号の搬送パルス幅の２倍以下の信号を取り除いて、ＡＳＫ変調信号の搬送パルスの振動が、搬送パルス幅の２倍以上続いている期間を、データ信号として取り出すようにしたことを特徴とするＡＳＫ変調信号の復調装置。
【請求項２】
所定幅の搬送パルスを持つ搬送波でデータ信号を振幅変調したＡＳＫ変調信号を、受信して、その受信したＡＳＫ変調信号からデータ信号を取り出すようにしたＡＳＫ変調信号の復調装置において、
受信したＡＳＫ変調信号を、波形整形した後、搬送パルス幅よりやや長い時定数をもった単安定マルチバイブレータ（３）に入力し、単安定マルチバイブレータ（３）の出力信号と、前記受信したＡＳＫ変調信号を波形整形した信号とから、単安定マルチバイブレータ（３）の出力信号よりも、ＡＳＫ変調信号の次の搬送パルス分だけずれた出力信号を取り出すＤフリップフロップ回路４が設けられ、前記単安定マルチバイブレータ（３）の出力信号とＤフリップフロップ回路（４）の出力信号との論理条件から、ＡＳＫ変調信号の搬送パルス幅の２倍以下の信号を取り除いて、ＡＳＫ変調信号の搬送パルスの振動が、搬送パルス幅の２倍以上続いている期間を、データ信号として取り出すようにしたことを特徴とするＡＳＫ変調信号の復調装置。
【発明の詳細な説明】
【０００１】
【発明の属する技術分野】
本発明は、発振信号である搬送パルスをディジタル情報であるデータ信号に応じてオン・オフするＡＳＫ（Ａｍｐｌｉｔｕｄｅ Ｓｈｉｆｔ Ｋｅｙｉｎｇ）変調信号を復調するためのＡＳＫ変調信号の復調装置に関するものである。
【０００２】
【従来の技術】
例えば、図７に示すように、変調装置５１により、図８（イ）に示すデータ信号（ディジタル情報）を、所定幅の搬送パルス（発振信号）を持つ搬送波で振幅変調した図８（ロ）に示すＡＳＫ変調信号を、二本の信号線５３，５４によって送信し、そのＡＳＫ変調信号を、復調装置５５で受信するようにしたデータ通信システムが、工作機の工具や、工場における部品、製品の管理又は物流システム等に用いられているが、このような通信システムに使用される従来のＡＳＫ変調信号の復調装置５５は、図９に示すように、受信したＡＳＫ変調信号（図１０（イ）、図１１（イ）に示す点Ａの電圧波形）を、コンパレータ５７で波形整形（図１０（ロ）、図１１（ロ）に示す点Ｂの電圧波形）した後、搬送パルス幅よりやや長い時定数をもった単安定マルチバイブレータ５７に入力して、単安定マルチバイブレータ５７を動作させ、単安定マルチバイブレータ５７の出力により、ＡＳＫ変調信号の搬送パルスによる振動がある期間を、データ信号とする復調波形（図１０（ハ）、図１１（ハ））を得ている。
【０００３】
【発明が解決しようとする課題】
しかし、従来では、信号線５３，５４が短い場合には、点Ａの電圧、点Ｂの電圧及び点Ｃの電圧が、図１１（イ）（ロ）（ハ）に示すような電圧波形であったものが、信号線５３，５４が長い場合には、ＬＣによる振動電圧が発生するため、図１０（イ）に示すように、ＡＳＫ変調信号に振動波形ａが生じ、これがために、図１０（ロ）及び図１０（ハ）に示すように点Ｂの電圧波形及び点Ｃの電圧波形にも誤パルスが発生し、データ信号を正確に復調できなくなるおそれがあった。
【０００４】
本発明は上記問題点に鑑み、簡単な回路構成で、ＡＢＳ変調信号からデータ信号を正確に復調できるようにしたものである。
【０００５】
【課題を解決するための手段】
この技術的課題を解決する本発明の技術的手段は、所定幅の搬送パルスを持つ搬送波でデータ信号を振幅変調したＡＳＫ変調信号を、受信して、その受信したＡＳＫ変調信号からデータ信号を取り出すようにしたＡＳＫ変調信号の復調装置において、
受信したＡＳＫ変調信号を波形整形した後、搬送パルス幅よりもやや長い時定数をもった単安定マルチバイブレータ３に入力し、単安定マルチバイブレータ３の出力信号と、前記ＡＳＫ変調信号を波形整形した信号とから、ＡＳＫ変調信号の搬送パルス幅の２倍以下の信号を取り除いて、ＡＳＫ変調信号の搬送パルスの振動が、搬送パルス幅の２倍以上続いている期間を、データ信号として取り出すようにした点にある。
【０００６】
本発明の他の技術的手段は、所定幅の搬送パルスを持つ搬送波でデータ信号を振幅変調したＡＳＫ変調信号を、受信して、その受信したＡＳＫ変調信号からデータ信号を取り出すようにしたＡＳＫ変調信号の復調装置において、
受信したＡＳＫ変調信号を、波形整形した後、搬送パルス幅よりやや長い時定数をもった単安定マルチバイブレータ３に入力し、単安定マルチバイブレータ３の出力信号と、前記受信したＡＳＫ変調信号を波形整形した信号とから、単安定マルチバイブレータ３の出力信号よりも、ＡＳＫ変調信号の次の搬送パルス分だけずれた出力信号を取り出すＤフリップフロップ回路４が設けられ、前記単安定マルチバイブレータ３の出力信号とＤフリップフロップ回路４の出力信号との論理条件から、ＡＳＫ変調信号の搬送パルス幅の２倍以下の信号を取り除いて、ＡＳＫ変調信号の搬送パルスの振動が、搬送パルス幅の２倍以上続いている期間を、データ信号として取り出すようにした点にある。
【０００７】
【発明の実施の形態】
以下、本発明の実施の形態を図面に基づき説明する。
図１において、１はコンパレータで、受信したＡＢＳ変調信号を入力して、その搬送パルスが一定電圧の矩形波となるように波形整形する。このコンパレータ１が入力するＡＢＳ変調信号は、図示省略の変調装置によって、データ信号（ディジタル情報）を、所定幅の搬送パルス（発振信号）を持つ搬送波で振幅変調したものであって、図８（ロ）又は図１０（イ）に示す電圧波形と同様に、発振信号である搬送パルスをディジタル情報であるデータ信号に応じてオン・オフするようになっており、長い二本の信号線によって、変調装置から長距離に亘って送信されたものである。
【０００８】
３は単安定マルチバイブレータで、ＡＢＳ変調信号の搬送パルスのパルス幅よりやや長い時定数をもっており、コンパレータ１の出力信号（図２（ロ）に示す点Ｂの電圧波形）の立ち下がりで、電圧が立ち下がって、搬送パルスのパルス幅よりやや長い期間までＬ電圧（零又は低電圧）を保持するように構成されている。従って、単安定マルチバイブレータ３は、コンパレータ１から入力したＡＢＳ変調信号の搬送パルスの振動が連続しているときには、図２（ロ）に示すように、搬送パルスが連続した期間はＬ電圧を保持した１つのオン信号又はオフ信号を出力する。
【０００９】
４はＤフリップフロップ回路で、Ｄ入力端子に単安定マルチバイブレータ３の出力信号（図２（ロ）に示す点Ｃの電圧波形）を入力すると共に、クロック入力端子にコンパレータ１の出力信号（図２（イ）に示す点Ｂの電圧波形）を入力し、Ｑ出力端子から、点Ｂの電圧波形の立ち下がりで、点Ｃの電圧波形に切り換わりる出力信号（図２（ハ）に示す点Ｄの電圧波形）を出力する。
【００１０】
６はＮＯＲ回路で、単安定マルチバイブレータ３の出力信号とＤフリップフロップ回路４の出力信号とを入力する。７はＮＯＴ回路で、ＮＯＲ回路６の出力信号（図２（ニ）に示す点Ｅの電圧波形）を入力する。前記ＮＯＲ回路６とＮＯＴ回路７とでＯＲ回路８を構成し、ＯＲ回路８の出力信号（図２（ホ）に示す点Ｆの電圧波形）を、ＡＢＳ変調信号を復調したデータ信号として取り出すようになっている。
【００１１】
上記実施の形態によれば、受信したＡＢＳ変調信号を、図２（イ）に示すように、コンパレータ１でその搬送パルスが一定電圧の矩形波となるように波形整形し、この波形整形したＡＢＳ変調信号を、単安定マルチバイブレータ３が入力して、単安定マルチバイブレータ３は、コンパレータ１の出力信号（図２（イ）に示す点Ｂの電圧波形）の立ち下がりで、電圧が立ち下がって、搬送パルスのパルス幅よりやや長い期間までＬ電圧を保持する出力信号（図２（ロ）に示す点Ｃの電圧波形）を出力する。
【００１２】
そして、Ｄフリップフロップ回路４が、Ｄ入力端子に単安定マルチバイブレータ３の出力信号（図２（ロ）に示す点Ｃの電圧波形）を入力すると共に、クロック入力端子にコンパレータ１の出力信号（図２（イ）に示す点Ｂの電圧波形）を入力し、Ｄフリップフロップ回路４は、Ｑ出力端子から、点Ｂの電圧波形の立ち下がりで、点Ｃの電圧波形に切り換わりる出力信号（図２（ハ）に示す点Ｄの電圧波形）を出力し、ＯＲ回路８が、単安定マルチバイブレータ３の出力信号とＤフリップフロップ回路４の出力信号とを入力して、両方の信号が共にＬ電圧のときにＬ電圧となる信号（図２（ホ）に示す点Ｆの電圧波形）を出力し、このＯＲ回路８の出力信号を、ＡＢＳ変調信号を復調したデータ信号として取り出す。
【００１３】
従って、Ｄフリップフロップ回路４が、単安定マルチバイブレータ３の出力信号を、点Ｂの電圧波形の立ち下がりで、ラッチして、波形合成し、Ｄフリップフロップ回路４の出力信号は、単安定マルチバイブレータ３の出力信号よりも、ＡＳＫ変調信号の次の搬送パルス分だけずれた電圧波形となり、ＯＲ回路８により、単安定マルチバイブレータ３の出力信号とＤフリップフロップ回路４の出力信号との論理条件から、ＡＳＫ変調信号の搬送パルス幅の２倍以下の信号を取り除いて、ＡＳＫ変調信号の搬送パルスの振動が、搬送パルス幅の２倍以上続いている期間を、データ信号として取り出す。その結果、ＬＣによる振動電圧が発生して、ＡＳＫ変調信号に振動波形が生じることによる誤パルスが点Ｂの電圧波形及び点Ｃの電圧波形に生じても、その誤パルスは無視され、点Ｅの電圧波形及び点Ｆの電圧波形には誤動作による信号は出てこなくなり、信号線が長いために生じる１パルスの誤信号を確実に取り除いて、ＡＢＳ変調信号からデータ信号を正確に復調できる。
【００１４】
図３は本発明の具体的構成を示す他の実施の形態を示し、復調装置は、ＡＢＳ変調信号をパルストランス１１を介して受信し、その受信したＡＢＳ変調信号をコンパレータ１で波形整形するようにしている。また、コンパレータ１の出力信号を、Ｄフリップフロップ回路４のクロック入力端子に入力すると共に、単安定マルチバイブレータ３のＱ出力端子からの出力信号を、抵抗１２及びコンデンサ１３で、コンパレータ１の出力信号よりもやや遅らせて、Ｄフリップフロップ回路４のＤ入力端子に入力するようにしている。また、ＯＲ回路８を、前記ＮＯＲ回路６及びＮＯＴ回路７に代えて、一対のダイオード１５，１６により構成している。
【００１５】
その他の点は前記実施の形態の場合と同様の構成であり、実験データによれば、点Ｂは図４（イ）に示すような電圧波形になり、点Ｅは図４（ロ）に示すような電圧波形になり、前記実施の形態の場合と同様に、ＡＳＫ変調信号の搬送パルス幅の２倍以下の信号を取り除いて、ＡＳＫ変調信号の搬送パルスの振動が、搬送パルス幅の２倍以上続いている期間を、データ信号として取り出し、簡単な回路構成で、ＡＢＳ変調信号からデータ信号を正確に復調できるようになる。
【００１６】
なお、前記実施の形態では、ＯＲ回路８を、ＮＯＲ回路６とＮＯＴ回路７との直列回路又は一対のダイオード１５，１６により構成しているが、これに代え、ＯＲ回路８を、図５に示すようにＮＯＲ回路１８とＮＯＴ回路１９との直列回路で構成し、又は図６に示すように１つのＯＲ回路により構成するようにしてもよい。
【００１７】
また、前記実施の形態では、単安定マルチバイブレータ３は、単安定マルチは、コンパレータ１の出力信号の立ち下がりで、電圧が立ち下がって、搬送パルスのパルス幅よりやや長い期間までＬ電圧（零又は低電圧）を保持するように構成されているが、これに代え、単安定マルチバイブを、コンパレータ１の出力信号の立ち上がりで動作するように構成してもよい。
【００１８】
また、前記実施の形態では、Ｄフリップフロップ回路４は、コンパレータ１の出力信号の立ち下がりで、単安定マルチバイブレータ３の出力信号の電圧波形に切り換わりるように構成されているが、これに代え、Ｄフリップフロップ回路４を、コンパレータ１の出力信号の立ち上がりで、単安定マルチバイブレータ３の出力信号の電圧波形に切り換わりるように構成してもよい。
【００１９】
【発明の効果】
本発明によれば、簡単な回路構成で、信号線が長い等のために生じる１パルスの誤信号を取り除いて、ＡＢＳ変調信号からデータ信号を正確に復調できるようになる。
【図面の簡単な説明】
【図１】  本発明の一実施形態を示す回路図である。
【図２】  動作説明用の電圧波形図である。
【図３】  他の実施の形態を示す回路図である。
【図４】  動作説明用の電圧波形図である。
【図５】  ＯＲ回路の他の構成を示す図である。
【図６】  ＯＲ回路の他の構成を示す図である。
【図７】  従来例を示す回路図である。
【図８】  データ信号及びＡＢＳ変調信号を示す波形図である。
【図９】  従来例を示す回路図である。
【図１０】  動作説明用の波形図である。
【図１１】  動作説明用の波形図である。
【符号の説明】
１      コンパレータ
３      単安定マルチバイブレータ
４      Ｄフリップフロップ回路
６      ＯＲ回路
【図１】
0004393000.tif 000002
【図２】
0004393000.tif 000003
【図３】
0004393000.tif 000004
【図４】
0004393000.tif 000005
【図５】
0004393000.tif 000006
【図６】
0004393000.tif 000007
【図７】
0004393000.tif 000008
【図８】
0004393000.tif 000009
【図９】
0004393000.tif 000010
【図１０】
0004393000.tif 000011
【図１１】
0004393000.tif 000012